(57)【要約】【課題】  ガラスに骨片を埋め込む。【解決手段】  軟化したガラスに骨片を載せ、溶解炉に入れてこれを回転させ、骨片をガラスに埋め込んで巻き取る。その後このガラスを引き延ばして棒状に形成する。【選択図】    図１
2005231043.tif 000002
【特許請求の範囲】
【請求項１】
内部に骨片を埋め込んだガラス棒。
【請求項２】
内部に骨片を埋め込んだガラス棒を用い、外側から該骨片を見ることができるように該骨片を配置した、トンボ玉。
【請求項３】
軟化したガラスに骨片を載せ、これを炉に入れて該ガラスを回転させて巻き取り、該巻き取り過程で該骨片をガラス内に埋め込んだ後に、該ガラスを引き延ばして、骨片を埋め込んだガラス棒を作成する方法。
【請求項４】
心棒に軟化させたガラスを巻き付け、これに骨片を埋め込んだガラス棒を溶かし付けて、該骨片を上記巻き付けたガラスに埋め込むようにした、請求項２のトンボ玉の作成方法。
【発明の詳細な説明】
【技術分野】
【０００１】
この発明は、骨片を埋め込んだガラス棒と、これを用いて作成したトンボ玉、並びにガラス棒に骨片を埋め込む方法及び骨片を埋め込んだガラス棒を用いてトンボ玉を作成する方法とに関する。
【背景技術】
【０００２】
ペット等の遺骨を身近に置くこと、あるいは長期保存を目的として、遺灰粉を成形材と混合して成型物とすることが行われている。しかしながら遺骨の一部ををその形を保ったままの状態で、ガラスに埋め込んで成型物にすることは知られていない。従来、遺骨をそのままガラスに埋め込むのではなく、遺灰粉や微粒子に粉砕した骨微粉として成形材と混合するのは、遺骨を埋め込んだガラスがその冷却と共に割れてしまうためである。  
【特許文献１】特開平９−３００８９６
【特許文献２】特開２０００−７９７９８
【特許文献３】特開２００１−２９２１５
【発明の開示】
【発明が解決しようとする課題】
【０００３】
この発明の課題は、ガラスに骨片を埋め込んだガラス棒を作成することにある（請求項１，３）。そしてこのガラス棒をトンボ玉に用いることにより、冷却時に割れることのない、骨片を埋め込んだガラス製品を提供することにある（請求項２，４）。
【課題を解決するための手段】
【０００４】
この発明は、軟化したガラスに骨片を載せ、これを炉内で回転させ、垂れてくるガラスをさらに回転させて巻き取って丸めて骨片を埋め込み、このガラスを引き延ばして、骨片を埋め込んだガラス棒とする（請求項３）。この発明での炉は、ガス、軽油、重油等の燃料を使用する溶解炉などであり、例えば約１３００℃〜１５００℃の高温を保っている。そして軟化したガラスに載せられた骨片は、溶解炉に入れられるとガスを発生するので、ガスがガラス内に閉じこめられることがほとんどなく、巻き取られたガラス内に骨片が埋め込まれる。なお骨片には、ペットや人間等の骨のほか、歯も含むものとする。
【０００５】
炉内で軟化したガラスを巻き取り、これを引き延ばすことにより、内部に骨片を埋め込んだガラス棒を作成する（請求項１）。そしてこのガラス棒は、トンボ玉等のガラス細工に用いることができ、外側から骨片が見ることができるように作成することができる（請求項２）。トンボ玉の作成時には、心棒に巻き付けた軟化したガラスに、骨片を埋め込んだガラスを軟化させ、その骨片部分をトンボ玉に埋め込むようにする（請求項４）。
なお請求項１の骨片を埋め込んだガラス棒は、トンボ玉以外にも、数珠やペンダント、置物等の作成にも用いることができる。  
【発明の効果】
【０００６】
溶解炉での高温下で、骨片からのガスがほとんど発生してしまうことから、骨片だけをガラス棒内に閉じこめることができる。その結果、このガラス棒を使用してトンボ玉等を作成しても、ガラスの冷却時にガスがさらに発生することはなく、割れを生じることがない（請求項１〜４）。そしてこの方法により作成したガラス棒は、通常のガラス細工の材料として用いることができるものであり、これを使用することにより、骨片を埋め込んだトンボ玉等のガラス製品を提供することが可能になる（請求項１，２，４）。
トンボ玉等にこのガラス棒を使用して骨片を模様の一部として利用することが可能になるので、かわいがっていたペット等の遺骨を身近に置きたいと思う者の要求に応えることが可能になる。そしてこれを数珠の一部に埋め込んだり、ブレスレットやペンダントのような装飾品として肌身離さず身につけることができ、心の安らぎを得ることができる。
【発明を実施するための最良の形態】
【０００７】
以下に本発明を実施するための最適実施例を示す。
【実施例１】
【０００８】
図１を用い、実施例でのガラス棒の作成の行程を説明する。
まず軟化させた硬質のガラス棒上に（S1）、ピンセット等で骨片を載せる（S2）。このとき骨片を少しガラスに押し込むようにすると、骨片が落下することを防止することができる。なお軟化させたガラスは少し板状の形状を有する方が、骨片を載せやすく、作業もしやすい。
【０００９】
次に骨片を載せたガラスを溶解炉に入れ（S3）、回転させる。溶解炉はガス、軽油、重油等の燃料を使用する炉であり、通常は溶解したガラスが１３００℃〜１５００℃程度の温度で保たれている。
【００１０】
溶解炉内ではガラスはさらに軟化し垂るので、ガラスを付けた金属棒等を回転させる。このような高温にさらすことにより、骨片からガスが発生するがこれはガラスから抜けていき、さらに溶解炉内で均一に加熱されるので、骨片からのガスはほぼ出尽くしてしまう。そして、軟化したガラスを巻き取って丸めることにより、ガスの抜けた骨片がガラス内に埋め込まれることとなる。その後、巻き取られたガラスをポンテやピンセット等で細く延ばし（S4）、冷ます(S5)ことにより、骨片を埋め込んだガラス棒が得られる。
【００１１】
上記の方法で得られたガラス棒２を図２に示す。この図では、細く引き延ばしたガラス棒の一部を示す。図において、４はガラス棒２に埋め込まれた骨片である。ガラス棒の径や幅は任意であり、使用する骨片により定めることができる。
【００１２】
また実施例では、ガラスの材料は任意であり、硬質ガラス、軟質ガラスのいずれであっても良い。なおガラス棒の内部に含んだ骨片が外側から見えるように、無色透明なガラス、あるいは淡い色のガラスであることが好ましい。
【００１３】
図３に、図２のガラス棒の断面図を示す。図において、点線で示す骨片は、断面には現れないが透けて見える骨片である。図ではほぼ真円のガラス棒の断面としたが、断面の形状はこれに限るものではない。またガラス棒は必ずしも均一に引き延ばされるわけではなく、図３の４０に示すように、骨片の一部がガラス棒の形状からいびつになる状態で含まれることもある。
【００１４】
なお実施例では骨片の大きさを３〜５mm程度のものとしたが、使用したい骨片の大きさに合わせてガラス棒の太さを決めても、あるいはガラス棒の太さに合わせ使用する骨片を選択しても良い。また骨片の形はそのままの状態であっても良く、例えばハート型にしたものを使用することとしても良い。
【００１５】
さらに、ガラス棒２の引き延ばしの際に、これを捻りながら引き延ばしてツイスト棒にすることや、複数本のガラス棒を捻りあわせながら１本のガラス棒にすることとしても良い。
【００１６】
図４，図５に、ガラス棒２を使用して作成したトンボ玉６の２種類の写真を示す。まず軟化した色ガラスをステンレス棒などに巻き付け、その表面にさらに別の色ガラスにより模様を付加する。これにガラス棒２を軟化させて付け、１個の骨片４を載せるようにして焼きとり、さらに透明ガラス１０で被覆し、コテ等で球状にする。図において、トンボ玉６に渦巻き状の模様８を付したものであり、骨片４を文様のように含む。実施例のトンボ玉６には、１個の骨片４をそれぞれ３箇所（図示しない）に埋め込んだが、埋め込む骨片の個数や埋め込み箇所は任意である。なお写真において、１２はトンボ玉を作成する過程で生じた気泡であり、白く見える部分はガラス表面の反射光によるものである。
【００１７】
トンボ玉作成時の、実施例のガラス棒２の使用は任意の方法で行えば良く、例えば色ガラスの表面にガラス棒２を巻き付けたり、複数本の色ガラス棒と実施例のガラス棒とを並べこの上をガラス種を転がしたり、ミルフィオリ片を用いての作成時に実施例のガラス棒も使用したりする等の様々な使用方法がある。いずれの場合も、骨片が外部から見えるように埋め込むようにする。なおトンボ玉の作成に用いるガラスは、実施例でのガラス棒２と熱膨張率が同一のものを使用して割れることを防止する。
【００１８】
図６，図７に、バーナーワークでトンボ玉を作成し、実施例のガラス棒を使用せずに軟化したガラス上に骨片を直接載せ、加熱した場合の失敗例を示す。このような方法で作成したトンボ玉は、冷却の課程で図のように必ず割れてしまう。図において、白く見える部分が骨片４で、１４は金属棒等による刺し穴である。
【００１９】
実施例の方法によるガラス棒を用いたトンボ玉６を、ブレスレット２０に応用した例を図８に示す。ブレスレット２０は、実施例のトンボ玉６と複数の水晶玉１６とを、伸縮自在の紐１８等を紐穴１９を通し作成したものである。骨片４は、色ガラスによる模様８と共にトンボ玉の模様を構成している。
【００２０】
その他、実施例のガラス棒を用い、数珠の珠のそれぞれに骨片をいれることもでき、さらにペンダントトップ等に加工して肌身離さず身につけることも可能になる。ペット等の飼い主にとっては、遺骨を常時身につけることは心の安らぎを得ることができる一方、これらは一見しただけでは骨片であることが分からないため、他人には装飾品の模様の一部としてのみ認識され、不快感を与えることもない。
その他、実施例のガラス棒を用いれば、置物などに骨片を埋め込むことも可能なる。
【図面の簡単な説明】
【００２１】
【図１】実施例の骨片を埋め込んだガラス棒の作成手順を示すフローチャート
【図２】実施例の骨片を埋め込んだガラス棒を示す図
【図３】実施例の骨片を埋め込んだガラス棒の断面図
【図４】実施例のガラス棒を使用して作成したトンボ玉の写真
【図５】実施例のガラス棒を使用して作成したトンボ玉の写真
【図６】従来によるトンボ玉作成時に、骨片を埋め込んだ場合の失敗例の写真
【図７】従来によるトンボ玉作成時に、骨片を埋め込んだ場合の失敗例の写真
【図８】実施例の方法で作成したトンボ玉の使用例を示す図
【符号の説明】
【００２２】
２          ガラス棒
４          骨片
６          トンボ玉
８          色ガラスによる模様
１０        透明ガラス
１２        気泡
１４        刺し穴
１６        水晶玉
１８        紐
１９        紐穴
２０        ブレスレット
【図１】
2005231043.tif 000003
【図２】
2005231043.tif 000004
【図３】
2005231043.tif 000005
【図８】
2005231043.tif 000006
【図４】
2005231043.tif 000007
【図５】
2005231043.tif 000008
【図６】
2005231043.tif 000009
【図７】
2005231043.tif 000010